(57)【要約】【課題】  ＰＤＰの前面に配置される導電性の光学フィルタと、ＰＤＰを背面側から覆う導電性の背面カバーと、光学フィルタを保持するとともに光学フィルタおよび背面カバーに電気的に接続された光学フィルタ固定手段と、から構成されたＰＤＰを囲みＰＤＰからの電磁波の不要輻射を遮蔽するシールド筐体を備えたプラズマディスプレイ装置において、光学フィルタ固定手段と背面カバーとの接合部に低コストで電磁波シールド効果を高める。【解決手段】  前記光学フィルタ固定手段は、ＰＤＰの側面側に概略位置する背面カバーとの接合部に、長辺方向に所定の間隔で切り込みが入って短冊状に細かく分割されて形成された金属製の弾性体である櫛状板バネを備え、櫛状板バネを背面カバーの光学フィルタ固定手段との接合部に押圧当接する。【選択図】  図１
2005072517.tif 000002
【特許請求の範囲】
【請求項１】
プラズマディスプレイパネルと、
前記プラズマディスプレイパネルの背面側を覆う導電性の背面カバーと、
前記プラズマディスプレイパネルの前面側に配置される導電層を有するフィルタと、
前記フィルタを保持し、かつ前記背面カバーと電気的に接続される導電性の保持手段と、
を備えてなり、
前記保持手段は長辺方向に複数に分割されて形成された弾性体を備え、前記弾性体は前記背面カバーに押圧当接されることを特徴とするプラズマディスプレイ装置。
【請求項２】
前記背面カバーの前記弾性体との接合部を含む面は前記プラズマディスプレイパネルの前面方向に概略平行しており、前記弾性体も前記プラズマディスプレイパネルの前面方向に概略平行して配置されることを特徴とする請求項１に記載のプラズマディスプレイ装置。
【請求項３】
前記弾性体は櫛状板バネであることを特徴とする請求項１または２に記載のプラズマディスプレイ装置。
【発明の詳細な説明】
【技術分野】
【０００１】
本発明は、表示デバイスとしてプラズマディスプレイパネルを用いた平面型表示装置であるプラズマディスプレイ装置に関するものである。
【背景技術】
【０００２】
表示デバイスとしてプラズマディスプレイパネル（以下、ＰＤＰと略す）を用いた平面型表示装置であるプラズマディスプレイ装置では、ＰＤＰから輻射される不要な電磁波が装置外に漏洩しないように、ＰＤＰの周囲をシールド（所謂ＥＭＩ(Electromagnetic  Interference)対策）することが必要である。そのため、一般に、プラズマディスプレイ装置は、ＰＤＰの背面側のシールドを行う導電性を有する背面カバーと、ＰＤＰの前面側のシールドを行う、ＰＤＰからの映像光を透過させると伴に、電磁波を阻止する導電層（例えば金属メッシュ層）を有する光学フィルタと、光学フィルタを保持固定すると伴に、光学フィルタの導電層および背面カバーに電気的に接続されて光学フィルタ周辺部および側面からの電磁波の漏洩を防ぐ導電性の光学フィルタ固定手段と、を備えている。なお、通常光学フィルタは、下記特許文献２や下記特許文献３で開示されているように光学フィルタ固定金具と前面枠体とで挟持されており、この場合、光学フィルタ固定手段は光学フィルタ固定金具と前面枠体とから成る。勿論、光学フィルタ固定金具で光学フィルタ周辺部および側面からの電磁波の漏洩を防ぐことができれば前面枠体は導電性を有しなくてもよい。
【０００３】
即ち、ＰＤＰは導電性を有する背面カバーと、光学フィルタと、光学フィルタ固定手段である光学フィルタ固定金具／前面枠体とで囲まれたシールド筐体内に保持されており、ＰＤＰからの電磁波の不要輻射は、前面は光学フィルタで、側面は光学フィルタ固定金具／前面枠体で、背面は背面カバーで阻止されている。
【０００４】
そして、前記シールド筐体を構成する光学フィルタ固定金具／前面枠体と背面カバーとの接続方法は、例えば下記特許文献１や下記特許文献２等で開示されている。
【０００５】
下記特許文献１では、導電性背面カバーと導電性を有する前面枠体とを導電性ガスケット（導電性スポンジ）を介してネジ締めにて接合し、前面枠体と導電性背面カバーとを電気的に接続して、ＰＤＰを囲う前記シールド筐体を形成している。また、下記特許文献２では、光学フィルタを導電性ガスケットを介して前面枠体と金属製の光学フィルタ固定金具で狭持し、光学フィルタ固定金具を前面枠体と導電性背面カバーとの接合部分に挟み込み、ネジ締めして接合し、光学フィルタと光学フィルタ固定金具と背面カバーとを電気的に接続して、ＰＤＰを蔽う前記シールド筐体を形成している。
【０００６】
下記特許文献３では、光学フィルタは、その辺に直角方向に切り込みが入った短冊状板バネ（櫛状板バネ）が多数形成された光学フィルタ固定金具（本開示例では電極と記載）と前面枠体とで挟持され、光学フィルタ固定金具は前面枠にネジ止めされている。
【０００７】
【特許文献１】特開2001-332886号公報
【特許文献２】特開2001-141972号公報
【特許文献３】特開平9−171353号公報
【発明の開示】
【発明が解決しようとする課題】
【０００８】
しかし、上記特許文献１では、前面枠体と背面カバーとの電気的接続に導電性ガスケットを用いている。この導電性ガスケットは高価であり、前面枠体と背面カバーの接合部全域に高価な導電性ガスケットを用いると、プラズマディスプレイ装置のコストを押し上げるという問題がある。
【０００９】
また、上記特許文献２では、光学フィルタ固定金具を前面枠体と背面カバーとの接合部分に挟み込み、ネジ締めして接合しているので、ネジ締め部分以外では電気的接続が不十分になる恐れがあり、シールド効果が低下する懸念がある。
【００１０】
また、上記特許文献３では、ＰＤＰから背面側に輻射される電磁波を阻止するシールド筐体の構成要素と前面枠体との電気的接続については言及されていない。
【００１１】
本発明は上記した課題に鑑みて成されたものであり、その目的は、性能上必要なシールド特性を確保すると伴に、低コスト化を図ることができるプラズマディスプレイ装置を提供することにある。
【課題を解決するための手段】
【００１２】
本発明のプラズマディスプレイ装置は、上記目的を達成するため、プラズマディスプレイパネルと、前記プラズマディスプレイパネルの背面側を覆う導電性の背面カバーと、前記プラズマディスプレイパネルの前面側に配置される導電層を有するフィルタと、前記フィルタを保持し、かつ前記背面カバーと電気的に接続される導電性の保持手段と、を備えてなり、前記保持手段は長辺方向に複数に分割されて形成された弾性体を備え、前記弾性体は前記背面カバーに押圧当接されることを特徴とする。
【００１３】
したがって、本発明のプラズマディスプレイ装置では、ＰＤＰから輻射される電磁波のうち、ＰＤＰの前面方向に輻射されたものは前記光学フィルタで阻止され、背面方向へ輻射されたものは前記背面カバーにより阻止される。前記光学フィルタの周辺部より漏洩する電磁波は前記保持手段である光学フィルタ固定手段で阻止され、ＰＤＰの側面方向に輻射されたものは前記光学フィルタ固定手段と前記背面カバーとで阻止される。そして、前記光学フィルタ固定手段は櫛状板バネを前記背面カバーの接合部に押圧当接しているので、電磁波シールド効果を高めながら、従来のように導電性ガスケットを使用する場合に比べ、コストを低減することができる。
【００１４】
また、前記背面カバーの前記光学フィルタ固定手段との接合部を前記ＰＤＰの前面方向に概略平行とし、前記櫛状板バネも同様に押圧当接する前記背面カバーの接合部に概略平行となるよう前記ＰＤＰの前面方向に概略平行とする。
【００１５】
このように、前記背面カバーと前記光学フィルタ固定手段との接合部をＰＤＰの側面に概略平行とするので、ＰＤＰから側面方向に輻射した電磁波は、前記櫛状板バネと背面カバーとの当接接合部を漏洩し難く、より電磁波シールド効果を高めることができる。
【発明の効果】
【００１６】
コストダウンを図りながら性能上必要なシールド特性を確保することができる。
【発明を実施するための最良の形態】
【００１７】
本発明のプラズマディスプレイ装置は、電磁波シールド効果を高めるために、光学フィルタ固定手段と背面カバーとの接合部に高価な導電性ガスケットを用いることなく、光学フィルタ固定手段に長辺方向に所定の間隔で切り込みが入って短冊状に細かく分割されて形成された金属製の弾性体である櫛状板バネを備え、該櫛状板バネを背面カバーの固定手段との接合部に押圧当接するようにしたことを特徴とする。
【００１８】
以下、本発明の実施例について、図を用いながら詳細に説明する。なお、全図において、共通な機能を有する要素には同一符号を付して示し、一度説明した要素については、煩雑さを避けるために以降の繰り返した説明を省略する。
【実施例】
【００１９】
図１は本発明のプラズマディスプレイ装置の一実施例を示す部分断面図、図２は本発明で用いる櫛状板バネを有する光学フィルタ固定金具の部分斜視図、図３は本実施例のプラズマディスプレイ装置の概略分解斜視図である。
【００２０】
まず、図３でプラズマディスプレイ装置の構成概要を述べる。図３において、ＰＤＰ１は背面側から導電性の背面カバー１３で覆われている。また、ＰＤＰ１の前面にはＰＤＰ１の形状とほぼ相似である矩形状の透光性の光学フィルタ１１が配置されている。光学フィルタ１１には金属メッシュなどの導電層が形成されており、ＰＤＰ１から輻射される不要な電磁波をシールド（遮蔽）する効果を有している。光学フィルタ１１は金属フレーム３と光学フィルタ固定金具７とでその周辺部を挟持され、保持固定されている。そして、プラズマディスプレイ装置の最前面にはＰＤＰ１からの映像光の透過領域を囲むように前面枠体５が配置されている。なお、ＰＤＰ１は図示しない支持手段でプラズマディスプレイ装置内に固定されている。
【００２１】
次に、ＰＤＰ１からの電磁波輻射をシールドするシールド筐体の構成について、図１を用いて説明する。
【００２２】
図１において、金属フレーム３は光学フィルタ１１の周辺部の辺に沿う溝状の突起３ａを有し、光学フィルタ固定金具７は光学フィルタ１１の保持側に光学フィルタ１１の周辺部の辺に沿う弾性を有する板バネ７ａを備えている。光学フィルタ１１は金属フレーム３の溝状の突起３ａと光学フィルタ固定金具７の板バネ７ａにより周辺部で狭持され、保持されている。本実施例では光学フィルタ１１は観視者側の面に電磁波シールド効果を有する導電層１１ａを有しており、導電層１１ａは板バネ７ａを介して光学フィルタ固定金具７に電気的に接続されている。
【００２３】
なお、金属フレーム３とＰＤＰ１との間にはエアフィルタ２２が配設されており、ＰＤＰ１と光学フィルタ１１との間に埃等が入り込まないようにされている。
【００２４】
前面枠体５は、モールド製の基体である前面枠５ａと、前面枠５ａのコーナー部に設けられた金属板の枠体支持金具５ｂとからなる。枠体支持金具５ｂは、前面枠５ａの反り・変形を抑止するとともに背面カバー１３とネジ止めするためのものである。
【００２５】
図２で示されるように、光学フィルタ固定金具７は、略直角に折れ曲がった一方の面７１に光学フィルタ１１の周辺部の辺に沿って保持する弾性を有する板バネ７ａを備え、他方の面７２の先端はさらに略直角に曲げられ、長辺方向に所定の間隔で切り込みが入って短冊状に細かく分割されて形成された弾性体である櫛状板バネ９が形成されている。面７２上には固定用のネジ止め穴７ｂを複数有している。
【００２６】
このように構成された光学フィルタ固定金具７は、図１で示されるように、金属フレーム３とともに導電性の背面カバー１３と枠体支持金具５ｂとの間に挟み込まれネジ２３で固定される。
【００２７】
背面カバー１３のＰＤＰ１を背後から覆う開口部（ほぼＰＤＰ１の形状に相似な矩形）の先端である辺部１５はＰＤＰ１の前面方向に概略平行な内面を有しており、また、光学フィルタ固定金具７の櫛状板バネ９も同様にＰＤＰ１の前面方向に概略平行となるように折り曲げられている。
【００２８】
したがって、光学フィルタ固定金具７は、金属フレーム３とともに背面カバー１３と枠体支持金具５ｂとの間に挟み込まれ固定されると、光学フィルタ固定金具７の櫛状板バネ９が背面カバーの辺部１５に押圧される。櫛状板バネ９は辺方向に沿って複数密集しているため、光学フィルタ固定金具７と背面カバー１３との電気的接続の信頼性は良好である。
【００２９】
以上述べたように、光学フィルタ１１と、金属フレーム３および光学フィルタ固定金具７と、背面カバーとは電気的に良好に接続されており、ＰＤＰ１からの輻射される電磁波を良好にシールドするシールド筐体とすることができる。
【００３０】
すなわち、ＰＤＰ１からの電磁波の不要輻射は、前面は光学フィルタ１１で、光学フィルタ１１周辺部およびＰＤＰ１の側面方向からの電磁波の漏洩は金属フレーム３および光学フィルタ固定金具７で、背面は背面カバー１３で阻止されている。勿論、背面カバー１３はＰＤＰ１の側面も部分的に覆っているので、ＰＤＰ１の側面方向からの電磁波の漏洩も低減している。
【００３１】
本発明では、金属フレーム３および光学フィルタ固定金具７と、背面カバー１３との電気的接続を確実とするために、従来用いていた高価な導電性ガスケットに代えて弾性を有する櫛状板バネを用いているため、プレス加工で容易に製造でき、コストを低減できる。また、シールド効果も導電性ガスケットと同等の性能を得ることができる。
【００３２】
さらに、本発明では、背面カバーの辺部１５と光学フィルタ固定金具７の櫛状板バネ９の当接面がＰＤＰ１の前面方向にほぼ平行である。この当接面は、ＰＤＰ１から側面方向に輻射される電磁波とは概略直交するため、シールド効果をより高めることが可能となる。
【００３３】
以上述べた実施例では、光学フィルタ１１の導電層１１ａが観視者側の設けられていたが、これと対向する逆側の面に導電層１１ｂが設けられている場合もある、この場合でも、導電層１１ｂは金属フレーム３の溝状の突起３ａを介して金属フレーム３に電気的に接続される。金属フレーム３は光学フィルタ固定金具７とともに重ねられて背面カバー１３と枠体支持金具５ｂとの間に固定されるので、金属フレーム３は、直接背面カバー１３と電気的に接続させるとともに、光学フィルタ固定金具７→櫛状板バネ９→背面カバー１３の辺部１５と間接的に接続され、シールド効果を高める。
【００３４】
したがって、本実施例では、金属フレーム３と光学フィルタ固定金具７とで、「光学フィルタを保持するとともに光学フィルタに電気的に接続され、かつ背面カバーに電気的/機械的に接合する光学フィルタ固定手段」を構成している。
【００３５】
勿論、光学フィルタのＰＤＰ側に導電層が形成されている場合には、光学フィルタ固定金具７に櫛状板バネを設けず、金属フレーム３に櫛状板バネを設けるようにしてもよいことはいうまでもない。
【００３６】
また、光学フィルタが、前記特許文献２や前記特許文献３のように、前面枠体と光学フィルタ金具とで挟持されている場合には、当然光学フィルタ固定金具とともに前面枠体も光学フィルタ固定手段であることはいうまでもない。
【図面の簡単な説明】
【００３７】
【図１】本発明のプラズマディスプレイ装置の一実施例を示す部分断面図。
【図２】本発明で用いる櫛状板バネを有する光学フィルタ固定金具の部分斜視図。
【図３】本実施例によるプラズマディスプレイ装置の概略分解斜視図。
【符号の説明】
【００３８】
１  ＰＤＰ、３  金属フレーム、３ａ  溝状の突起、５  前面枠体、５ａ  前面枠、５ｂ  枠体支持金具、７  光学フィルタ固定金具、７ａ  板バネ、７ｂ  ネジ止め穴、９  櫛状板バネ、１１  光学フィルタ、１１ａ，１１ｂ  導電層、１３  背面カバー、１５  背面カバーの辺部、２２  エアフィルタ、２３  ネジ、
【図１】
2005072517.tif 000003
【図２】
2005072517.tif 000004
【図３】
2005072517.tif 000005